(57)【要約】【課題】電子書籍データを記憶するメモリの記憶容量を極めて小にすると共に、使い勝手も向上する。【解決手段】携帯電話は、電子書籍データを格納したデータベースを有するサーバとネットワークを介して接続確立した後、サーバに対して再生しようとする電子書籍と再生方法を選択した後、携帯電話を例えば閉じることで自動的にダウンロード要求を行う（ステップＳ１〜Ｓ３）。これにより、サーバから電子書籍データの最初の１ページ分が送信され、携帯電話内のＲＡＭにダウンロードされる（ステップＳ４、Ｓ５）。続いて、携帯電話を開く又は振る又は傾けたことを検出すると、ダウンロードした電子書籍データを再生して表示させる（ステップＳ６）。以後、携帯電話を開閉又は振動又は傾ける度に１ページずつ電子書籍データがサーバから配信されてＲＡＭにダウンロードされた後表示される。【選択図】図３
2009188776.tif 000002
【特許請求の範囲】
【請求項１】
サーバからネットワークを介して携帯端末に電子書籍データを配信する電子書籍システムであって、
前記携帯端末は、
その携帯端末自身を操作することで前記サーバに対して前記電子書籍データのダウンロード要求を行うダウンロード要求手段と、
１ページ分の前記電子書籍データの記憶容量を有する記憶部と、
前記ダウンロード要求に従い前記サーバから配信された１ページ分の前記電子書籍データを前記記憶部に記憶させるダウンロード手段と、
前記記憶部に記憶された１ページ分の前記電子書籍データを表示する表示手段と
を有し、
前記サーバは、
前記携帯端末から前記ダウンロード要求を受信する毎に、前記電子書籍データを１ページ分ずつ前記ネットワークを通して前記携帯端末へ送信する送信手段を有することを特徴とする電子書籍システム。
【請求項２】
サーバからネットワークを介して携帯端末に電子書籍データを配信する電子書籍システムであって、
前記携帯端末は、
前記サーバに対して任意の前記電子書籍データを任意に指定した再生方法でダウンロードさせるダウンロード開始要求を行うダウンロード開始要求手段と、
１ページ分の前記電子書籍データの記憶容量を有する記憶部と、
その携帯端末自身を操作することで前記サーバに対して前記電子書籍データをダウンロードさせるダウンロード要求を行うダウンロード要求手段と、
前記ダウンロード開始要求又は前記ダウンロード要求に従い前記サーバから配信された１ページ分の前記電子書籍データを前記記憶部に記憶させるダウンロード手段と、
前記記憶部に記憶された１ページ分の前記電子書籍データを表示する表示手段と
を有し、
前記サーバは、
前記携帯端末のユーザが購入した電子書籍データ及び電子書籍プレイリストを保管するデータベースと、
前記携帯端末から送信された前記ダウンロード開始要求又は前記ダウンロード要求を受信する受信手段と、
前記携帯端末との接続確立後に前記データベースから前記電子書籍プレイリストを送信し、その送信後に前記受信手段により前記ダウンロード開始要求を受信したときは、指定された電子書籍の指定された最初のページの電子書籍データを前記データベースから前記ネットワークを通して送信し、前記受信手段により前記ダウンロード要求を受信する毎に、指定された電子書籍の次のページ以降の電子書籍データを前記データベースから１ページ分ずつ前記ネットワークを通して前記携帯端末へ送信する送信手段と
を有することを特徴とする電子書籍システム。
【請求項３】
前記携帯端末は、前記ダウンロード手段により、前記サーバから配信された１ページ分の前記電子書籍データを前記記憶部に記憶させる直前に、該記憶部の記憶内容を消去する消去手段を更に有することを特徴とする請求項１又は２記載の電子書籍システム。
【請求項４】
前記携帯端末は折り畳み型携帯電話であり、
前記ダウンロード要求手段は、
前記折り畳み型携帯電話が開状態か閉状態かを検出する開閉検出手段と、
前記開閉検出手段から検出信号が入力された時に、前記ダウンロード要求を生成して前記ネットワークを通して前記サーバへ送信するダウンロード要求生成及び送信手段と
を有することを特徴とする請求項１乃至３のうちいずれか一項記載の電子書籍システム。
【請求項５】
前記ダウンロード要求手段は、
前記携帯端末が振られたことを検出する加速度検出手段と、
前記加速度検出手段から検出信号が入力された時に、前記ダウンロード要求を生成して前記ネットワークを通して前記サーバへ送信するダウンロード要求生成及び送信手段と
を有することを特徴とする請求項１乃至３のうちいずれか一項記載の電子書籍システム。
【請求項６】
前記ダウンロード要求手段は、
前記携帯端末が傾けられたことを検出する傾き検出手段と、
前記傾き検出手段から検出信号が入力された時に、前記ダウンロード要求を生成して前記ネットワークを通して前記サーバへ送信するダウンロード要求生成及び送信手段と
を有することを特徴とする請求項１乃至３のうちいずれか一項記載の電子書籍システム。
【請求項７】
サーバからネットワークを介して配信された電子書籍データを受信して再生する電子書籍データ受信機能付き携帯端末であって、
その携帯端末自身を操作することで前記サーバに対して前記電子書籍データのダウンロード要求を行うダウンロード要求手段と、
１ページ分の前記電子書籍データの記憶容量を有する記憶部と、
前記ダウンロード要求に従い前記サーバから配信された１ページ分の前記電子書籍データを前記記憶部に記憶させるダウンロード手段と、
前記記憶部に記憶された１ページ分の前記電子書籍データを表示する表示手段と
を有することを特徴とする電子書籍データ受信機能付き携帯端末。
【請求項８】
サーバからネットワークを介して配信された電子書籍データを受信して再生する電子書籍データ受信機能付き携帯端末であって、
前記サーバに対して任意の前記電子書籍データを任意に指定した再生方法でダウンロードさせるダウンロード開始要求を行うダウンロード開始要求手段と、
１ページ分の前記電子書籍データの記憶容量を有する記憶部と、
その携帯端末自身を操作することで前記サーバに対して前記電子書籍データをダウンロードさせるダウンロード要求を行うダウンロード要求手段と、
前記ダウンロード開始要求又は前記ダウンロード要求に従い前記サーバから配信された１ページ分の前記電子書籍データを前記記憶部に記憶させるダウンロード手段と、
前記記憶部に記憶された１ページ分の前記電子書籍データを表示する表示手段と
を有することを特徴とする電子書籍データ受信機能付き携帯端末。
【請求項９】
前記ダウンロード手段により、前記サーバから配信された１ページ分の前記電子書籍データを前記記憶部に記憶させる直前に、該記憶部の記憶内容を消去する消去手段を更に有することを特徴とする請求項７又は８記載の電子書籍データ受信機能付き携帯端末。
【請求項１０】
折り畳み型携帯電話であって、前記ダウンロード要求手段は、
前記折り畳み型携帯電話が開状態か閉状態かを検出する開閉検出手段と、
前記開閉検出手段から検出信号が入力された時に、前記ダウンロード要求を生成して前記ネットワークを通して前記サーバへ送信するダウンロード要求生成及び送信手段と
を有することを特徴とする請求項７乃至８のうちいずれか一項記載の電子書籍データ受信機能付き携帯端末。
【請求項１１】
前記ダウンロード要求手段は、
前記携帯端末が振られたことを検出する加速度検出手段と、
前記加速度検出手段から検出信号が入力された時に、前記ダウンロード要求を生成して前記ネットワークを通して前記サーバへ送信するダウンロード要求生成及び送信手段と
を有することを特徴とする請求項７乃至８のうちいずれか一項記載の電子書籍データ受信機能付き携帯端末。
【請求項１２】
前記ダウンロード要求手段は、
前記携帯端末が傾けられたことを検出する傾き検出手段と、
前記傾き検出手段から検出信号が入力された時に、前記ダウンロード要求を生成して前記ネットワークを通して前記サーバへ送信するダウンロード要求生成及び送信手段と
を有することを特徴とする請求項７乃至８のうちいずれか一項記載の電子書籍データ受信機能付き携帯端末。
【請求項１３】
請求項１記載の電子書籍システムに用いられる、１ページ分の電子書籍データの記憶容量を有する記憶部を備えた携帯端末内のコンピュータを機能させる電子書籍データ再生プログラムであって、
前記コンピュータを、
携帯端末自身を操作することで前記サーバに対して前記電子書籍データのダウンロード要求を行うダウンロード要求手段と、
前記ダウンロード要求に従い前記サーバから配信された１ページ分の前記電子書籍データを前記記憶部に記憶させるダウンロード手段と、
前記記憶部に記憶された１ページ分の前記電子書籍データを表示する表示手段と
して機能させることを特徴とする電子書籍データ再生プログラム。
【請求項１４】
請求項２記載の電子書籍システムに用いられる、１ページ分の前記電子書籍データの記憶容量を有する記憶部を備えた携帯端末内のコンピュータを機能させる電子書籍データ再生プログラムであって、
前記コンピュータを、
前記サーバに対して任意の前記電子書籍データを任意に指定した再生方法でダウンロードさせるダウンロード開始要求を行うダウンロード開始要求手段と、
その携帯端末自身を操作することで前記サーバに対して前記電子書籍データをダウンロードさせるダウンロード要求を行うダウンロード要求手段と、
前記ダウンロード開始要求又は前記ダウンロード要求に従い前記サーバから配信された１ページ分の前記電子書籍データを前記記憶部に記憶させるダウンロード手段と、
前記記憶部に記憶された１ページ分の前記電子書籍データを表示する表示手段と
して機能させることを特徴とする電子書籍データ再生プログラム。
【請求項１５】
前記コンピュータを、前記ダウンロード手段により、前記サーバから配信された１ページ分の前記電子書籍データを前記記憶部に記憶させる直前に、該記憶部の記憶内容を消去する消去手段として更に機能させることを特徴とする請求項１３又は１４記載の電子書籍データ再生プログラム。
【請求項１６】
前記携帯端末は折り畳み型携帯電話であって、その折り畳み型携帯電話が開状態か閉状態かを検出する開閉検出手段を有し、
前記ダウンロード要求手段を、前記開閉検出手段から検出信号が入力された時に、前記ダウンロード要求を生成して前記ネットワークを通して前記サーバへ送信するダウンロード要求生成及び送信手段として機能させることを特徴とする請求項１３乃至１５のうちいずれか一項記載の電子書籍データ再生プログラム。
【請求項１７】
前記携帯端末は、その携帯端末が振られたことを検出する加速度検出手段を有し、
前記ダウンロード要求手段を、前記加速度検出手段から検出信号が入力された時に、前記ダウンロード要求を生成して前記ネットワークを通して前記サーバへ送信するダウンロード要求生成及び送信手段として機能させることを特徴とする請求項１３乃至１５のうちいずれか一項記載の電子書籍データ再生プログラム。
【請求項１８】
前記携帯端末は、その携帯端末が傾けられたことを検出する傾き検出手段を有し、
前記ダウンロード要求手段を、前記傾き検出手段から検出信号が入力された時に、前記ダウンロード要求を生成して前記ネットワークを通して前記サーバへ送信するダウンロード要求生成及び送信手段として機能させることを特徴とする請求項１３乃至１５のうちいずれか一項記載の電子書籍データ再生プログラム。
【発明の詳細な説明】
【技術分野】
【０００１】
本発明は電子書籍システム、電子書籍データ受信機能付き携帯端末及び電子書籍データ再生プログラムに係り、特にサーバからネットワークを介して携帯端末に電子書籍データを配信する電子書籍システム、電子書籍データ受信機能付き携帯端末及び電子書籍データ再生プログラムに関する。
【背景技術】
【０００２】
一般に、電子書籍システムでは、書籍（文字だけでなく、画像などを含むこともある）を電子化して得た電子書籍データを電子書籍配信会社がＡＤＳＬ網等のネットワークを通して配信し、購入者（ユーザ）のパーソナルコンピュータ（以下、パソコン）にダウンロードさせて閲覧可能とするか、あるいはメモリカードなどの記録媒体に書き込んだ電子書籍データをユーザに販売して、ユーザのパソコンや携帯端末などで閲覧可能としている。
【０００３】
しかし、この電子書籍システムでは、多数の電子書籍データを記憶するためには、ユーザのパソコン内部又は外部のメモリや、携帯端末内のメモリとして大容量のメモリが必要になるため、コストアップとなり、また、メモリを大規模半導体集積回路（ＬＳＩ）化したとしても、ＬＳＩが大きく装置形状が大型化してしまう。
【０００４】
そのため、新たな所望の電子書籍データを閲覧したい時には、小容量のメモリにその電子書籍データを新たにダウンロードして更新するか、またはその電子書籍データが記憶されている記録媒体を交換するなどの面倒な作業が必要になる。そこで、このユーザの面倒な作業を不要とする電子書籍システムが提案されている（例えば、特許文献１、２参照）。
【０００５】
特許文献１には、ユーザの携帯端末からダウンロード要求がある毎に、サーバがネットワークを介して予め決められたデータ量分だけ携帯端末へ送信することにより、小容量のメモリに電子書籍データを必要な時にのみ保持して表示する構成の発明が開示されている。
【０００６】
また、特許文献２には、ユーザが購入して得た識別情報が記録された記録媒体の当該識別情報をサーバ装置に送信し、サーバ装置は識別情報に基づいてコンテンツを選択して送信することにより、交換する記録媒体を持ち運ぶことなくコンテンツをどこでも取得することができる構成の発明が開示されている。また、この特許文献２には、サーバ装置の一箇所で記録媒体の販売後の著作権管理を行うことも開示されている。
【０００７】
【特許文献１】特開２００３−１５０５９７号公報
【特許文献２】特開２００４−０６２７２８号公報
【発明の開示】
【発明が解決しようとする課題】
【０００８】
しかしながら、上記の特許文献１及び２記載の電子書籍システムでは、いずれも小容量であるといっても、ある程度のデータ量の電子書籍データを格納するための記憶容量を持つメモリが必要であり、低価格化や装置の小型化が不十分である。
【０００９】
また、購入した電子書籍データをインターネット接続プロバイダ等のサーバに保管しておき、通信機能を有した携帯端末を使用してサーバにアクセスし、そのサーバに保管されているユーザ所有の所望の電子書籍データを検索して、ユーザの携帯端末に所望の再生順序で配信して再生させることは、特許文献１及び２記載の電子書籍システムではできず、使い勝手が悪いという問題もある。
【００１０】
更に、電子書籍データの再生を携帯端末で実現するためには、携帯端末内の中央処理装置（ＣＰＵ）の負荷が大きく、電子書籍データの再生時の携帯電話動作などに影響があるという問題もある。
【００１１】
本発明は以上の点に鑑みなされたもので、メモリの記憶容量を極めて小にできる電子書籍システム、電子書籍データ受信機能付き携帯端末及び電子書籍データ再生プログラムを提供することを目的とする。
【００１２】
また、本発明の他の目的は、携帯端末の使い勝手を向上した電子書籍システム、電子書籍データ受信機能付き携帯端末及び電子書籍データ再生プログラムを提供することにある。
【課題を解決するための手段】
【００１３】
上記の目的を達成するため、第１の発明の電子書籍システムは、サーバからネットワークを介して携帯端末に電子書籍データを配信する電子書籍システムであって、
上記携帯端末は、その携帯端末自身を操作することでサーバに対して電子書籍データのダウンロード要求を行うダウンロード要求手段と、１ページ分の電子書籍データの記憶容量を有する記憶部と、ダウンロード要求に従いサーバから配信された１ページ分の電子書籍データを記憶部に記憶させるダウンロード手段と、記憶部に記憶された１ページ分の電子書籍データを表示する表示手段とを有し、
上記サーバは、携帯端末からダウンロード要求を受信する毎に、電子書籍データを１ページ分ずつネットワークを通して携帯端末へ送信する送信手段を有することを特徴とする。
【００１４】
また、上記の目的を達成するため、第２の発明の電子書籍データ受信機能付き携帯端末は、サーバからネットワークを介して配信された電子書籍データを受信して再生する電子書籍データ受信機能付き携帯端末であって、
その携帯端末自身を操作することでサーバに対して電子書籍データのダウンロード要求を行うダウンロード要求手段と、１ページ分の電子書籍データの記憶容量を有する記憶部と、ダウンロード要求に従いサーバから配信された１ページ分の電子書籍データを記憶部に記憶させるダウンロード手段と、記憶部に記憶された１ページ分の電子書籍データを表示する表示手段とを有することを特徴とする。
【００１５】
更に、上記の目的を達成するため、第３の発明の電子書籍データ再生プログラムは、第１の発明の電子書籍システムに用いられる、１ページ分の電子書籍データの記憶容量を有する記憶部を備えた携帯端末内のコンピュータを機能させる電子書籍データ再生プログラムであって、上記コンピュータを、
携帯端末自身を操作することでサーバに対して電子書籍データのダウンロード要求を行うダウンロード要求手段と、ダウンロード要求に従いサーバから配信された１ページ分の電子書籍データを記憶部に記憶させるダウンロード手段と、記憶部に記憶された１ページ分の電子書籍データを表示する表示手段として機能させることを特徴とする。
【発明の効果】
【００１６】
本発明によれば、１ページ毎に電子書籍データをダウンロードしながら再生することにより、メモリの記憶容量を極めて小にでき、また、著作権保護が可能で、使い勝手も向上できる。
【発明を実施するための最良の形態】
【００１７】
次に、本発明の実施形態について図面を参照して、詳細に説明する。
【００１８】
図１は、本発明になる電子書籍システムの一実施形態の概略システム構成図を示す。本実施形態の電子書籍システムは、本発明の携帯端末の一実施形態である折り畳み型携帯電話１００が、基地局２００、及びネットワークの一例としてのインターネット網３００を介して、電子書籍データ保管サービスプロバイダ提供のサーバ４００に接続された構成である。
【００１９】
携帯電話１００は、第１の筐体１０１と第２の筐体１０２とが、ヒンジ部１０３によりヒンジ部１０３を中心として互いに開閉自在に結合された折り畳み型携帯電話である。第１の筐体１０１の内側面には、表示部１０４や受話用レシーバ１０５が配置されている。第２の筐体１０２の内側面には、入力部１０６や送話用マイクロフォン１０７が配置されている。また、例えば、第１の筐体１０１の背面にカメラが配置されている。また、この携帯電話１００は、現在、携帯電話の高速なパケット通信方式として知られているＨＳＤＰＡ（High Speed Downlink Packet Access）で、基地局２００及びインターネット網３００を介してサーバ４００と通信できる機能を有している。
【００２０】
また、サーバ４００は、電子書籍データ保管サービスプロバイダ提供のサーバであり、ユーザが購入した電子書籍データ及び電子書籍プレイリストを保管するデータベース４０１を有する。
【００２１】
図２は、図１中の携帯電話１００の一実施形態のブロック図を示す。図２中、図１と同一構成部分には同一符号を付してある。図２において、携帯電話１００は、前述した表示部１０４、受話用レシーバ１０５、入力部１０６及び送話用マイクロフォン１０７に加えて、各部を統括的に制御する中央処理装置（ＣＰＵ）１１０と、基地局２００との間でＨＳＤＰＡ通信を行うためのＨＳＤＰＡ通信部１１１と、記憶部の一例としてのランダム・アクセス・メモリ（ＲＡＭ）１１２と、受話用レシーバ１０５及び送話用マイクロフォン１０５に接続された音声処理部１１３と、効果音を処理する音源処理部１１４と、開閉検出部１１５と、加速度センサ１１６と、カメラ１１７と、傾き検出部１１８と、効果音を発音するスピーカ１１９と、音楽信号を出力する外部接続端子１２０とを有している。
【００２２】
ＨＳＤＰＡ通信部１１１は、最寄りの基地局２００との間で最大１４.４ＭｂｐｓのデータレートでＨＳＤＰＡ通信を行う。このＨＳＤＰＡ通信では、電子書籍データの１ページ分である数十ｋＢ程度のデータを数秒で伝送することが可能である。ＲＡＭ１１２は、この１ページ分程度の電子書籍データを記憶できる程度の記憶容量であり、特許文献１及び２記載の電子書籍システムで用いるメモリに比べて極めて小容量で、安価で小型な構成である。
【００２３】
音声処理部１１３は、ＨＳＤＰＡ通信部１１１で受信してＣＰＵ１１０で解析して得られた受話音声データを音声信号に変換してレシーバ１０５に供給して電気−音響変換させ、これより受話音声を発音させる一方、マイクロフォン１０７により送話音声を音響−電気変換して得られた送話音声信号に対して所定の信号処理を行って、ＣＰＵ１１０を介してＨＳＤＰＡ通信部１１１へ供給させ、これより送信させる。音源処理部１１４は、ＣＰＵ１１０から供給される効果音信号を処理してスピーカ１１９に供給して電気−音響変換させて、これより効果音を発音させる一方、外部接続端子１２０へ効果音信号を出力する。
【００２４】
開閉検出部１１５は、図１に示した携帯電話１００の第１の筐体１０１と第２の筐体１０２とが開状態にあるか閉状態にあるかを検出する。具体的には、例えば第１の筐体１０１と第２の筐体１０２の一方に磁石を設け、かつ、他方にホール素子などの磁気検出素子を、閉状態の時に上記の磁石に対向する位置に設ける。これにより、上記の筐体１０１及び１０２の内側面同士が密接する閉状態のときには磁気検出素子により最大の値の磁力が検出され、その時の出力が閉状態検出信号として出力され、筐体１０１及び１０２の内側面同士が離間する開状態のときには磁気検出素子により磁石の磁力が検出されないので、その時の出力が開状態検出信号として出力される。この開閉検出部１１５の構成は公知である。開閉検出部１１５は、リミットスイッチを用いて構成しても勿論よく、その構成は任意である。
【００２５】
加速度センサ１１６は、携帯電話１００が振られたかどうかを検出するためのセンサであり、その構成自体は公知である。傾き検出部１１８は、カメラ１１７で撮影して得られた映像信号を入力として受け、入力映像信号に基づいて被写体（又は携帯電話１００）が傾いているかどうかを検出する。傾き検出部１１８の構成自体は公知であり、例えばGestureTek(登録商標)の技術を用いることができる。
【００２６】
次に、図１及び図２に示した本実施形態の電子書籍システムの動作について図３のフローチャートを併せ参照して説明する。まず、ユーザは携帯電話１００を開状態にして入力部１０６を操作して基地局２００及びインターネット網３００を介してプロバイダのサーバ４００へログインし、接続する（ステップＳ１）。サーバ４００は、携帯電話１００のユーザの認証を行い（ステップＳ２）、認証がＯＫであれば携帯電話１００のユーザに予め割り当てたデータベース４０１の内部の参照を許可し、データベース４０１に格納されている電子書籍プレイリストを携帯電話１００へ送信する。
【００２７】
続いて、携帯電話１００のユーザは、表示部１０４に表示されている受信した電子書籍プレイリストを見て再生を希望する電子書籍とその再生方法（順次再生、ランダム再生、よく見る順、新刊順など）を、入力部１０６を操作して選択し、その選択情報を携帯電話１００から基地局２００及びインターネット網３００を通してサーバ４００へ送信する（ステップＳ３）。なお、このとき再生を開始する最初のページ指定を行うことも可能である。
【００２８】
続いて、ユーザにより携帯電話１００は開状態から閉状態にされる。この閉状態は開閉検出部１１５からの検出信号に基づきＣＰＵ１１０が判断する。ＣＰＵ１１０が閉状態を検出すると、それをトリガとしてＨＳＤＰＡ通信部１１１を介して基地局２００へダウンロード開始要求を送信する。サーバ４００は、上記のダウンロード開始要求を基地局２００からインターネット網３００を通して受信すると、データベース４０１に格納されているユーザが選択した電子書籍の１ページ目の電子書籍データを選択された再生方法に従って送信する。
【００２９】
携帯電話１００は、インターネット網３００、基地局２００を通してＨＳＤＰＡ通信部１１１で上記の１ページ目の電子書籍データを受信し、ＣＰＵ１１０の制御の下、ＲＡＭ１１２に対し表示データの準備及び受信電子書籍データのダウンロードを開始する（ステップＳ４）。
【００３０】
このようにして、１ページ目の電子書籍データのＲＡＭ１１２へのダウンロードが数秒で完了すると（ステップＳ５）、ＣＰＵ１１０は開閉検出部１１５から開状態検出信号が入力されるかを監視する。ユーザが再び携帯電話１００を閉状態から開状態にすると、ＣＰＵ１１０は、開閉検出部１１５から開状態検出信号が入力されるので開状態であることを検出する（ステップＳ６）。これにより、ユーザは携帯電話１００の表示部１０４に再生表示されている電子書籍データの１ページ目を閲覧することができる。
【００３１】
続いて、ＣＰＵ１１０は、現在ＲＡＭ１１２にダウンロードされている電子書籍データのページが最後のページかどうか判断する（ステップＳ７）。最後のページでない場合、ＣＰＵ１１０は、携帯電話１００を閉状態としたときに開閉検出部１１５から出力される閉状態検出信号の入力、又は携帯電話１００を振った時に加速度センサ１１６から出力される振動検出信号の入力、又は携帯電話１００を傾けた時に傾き検出部１１８から出力される傾き検出信号の入力を検出する（ステップＳ８）。このステップＳ８の検出は、ユーザが電子書籍データの１ページ目を閲覧し終わった任意のタイミングで行う、ユーザによる携帯電話１００の操作（閉じる操作、振る操作、又は傾ける操作）時点で行われる。
【００３２】
ステップＳ８の検出を行うと、ＣＰＵ１１０は、ＲＡＭ１１２に格納されている１ページ分の電子書籍データを削除し、次のページのダウンロード要求をサーバ４００へ送信する（ステップＳ９）。
【００３３】
上記のダウンロード要求に従い、サーバ４００は、データベース４０１から電子書籍の次のページ（この時点では２ページ目）の電子書籍データを選択された再生方法に従って送信する。これにより、携帯電話１００は、インターネット網３００、基地局２００を通してＨＳＤＰＡ通信部１１１で次のページの電子書籍データを受信し、その受信した次のページの電子書籍データのＲＡＭ１１２へのダウンロードをＣＰＵ１１０の制御の下、完了する（ステップＳ５）。
【００３４】
以後、最後のページの電子書籍データがＲＡＭ１１２にダウンロード完了するまで、ステップＳ６〜Ｓ９、Ｓ５〜Ｓ７の処理が繰り返される。最後のページの電子書籍データがＲＡＭ１１２に格納され、表示部１０４に表示された最後のページの電子書籍データをユーザが閲覧し、最後のページであることをＣＰＵ１１０が検出すると（ステップＳ７のＹＥＳ）、電子書籍再生を終了し（ステップＳ１０）、ログアウトする（ステップＳ１１）。
【００３５】
なお、１ページ目の電子書籍データのダウンロード完了後に最初にステップＳ６の検出処理が実行される時は、開閉検出部１１５から開状態検出信号が入力されたことを検出するが、次のページ以降でのステップＳ６の検出処理は、通常はステップＳ８の検出処理に対応した検出処理が行われる。
【００３６】
例えば、ＣＰＵ１１０は、ステップＳ８で開閉検出部１１５から閉状態検出信号入力を検出した時は、次のステップＳ６では開閉検出部１１５から開状態検出信号が入力されたことを検出する。この場合は、携帯電話１００を閉状態にして１ページ分の電子書籍データをダウンロードし、携帯電話１００を開状態にしてダウンロードした１ページ分の電子書籍データのユーザによる表示部１０４での閲覧を可能にする。すなわち、ユーザは携帯電話１００を閉じて開くという動作を繰り返すだけで、本や新聞を読むように電子書籍データを１ページずつ読むことができる。
【００３７】
また、ＣＰＵ１１０は、ステップＳ８で加速度センサ１１６からの検出信号入力を検出した時は、次のステップＳ６でも加速度センサ１１６からの検出信号入力を検出する。この場合は、ユーザが携帯電話１００を振る毎に加速度センサ１１６から加速度検出信号が出力されるので、ユーザは携帯電話１００を振るという動作にて本や新聞を読むように電子書籍データを１ページずつ読むことができる。
【００３８】
また、ＣＰＵ１１０は、ステップＳ８で傾き検出部１１８からの傾き検出信号入力を検出した時は、次のステップＳ６でも傾き検出部１１８からの傾き検出信号入力を検出する。この場合は、ユーザが携帯電話１００を傾ける毎に傾き検出部１１８から検出信号が出力されるので、ユーザは携帯電話１００を傾けるという動作にて本や新聞を読むように電子書籍データを１ページずつ読むことができる。
【００３９】
ただし、ステップＳ６において、加速度検出信号や傾き検出信号の入力を検出する場合には、携帯電話１００は開状態にある必要がある。なお、ステップＳ４でのダウンロード開始処理は携帯電話１００を閉じるのではなく、携帯電話１００を振るか傾けることで行うようにしてもよいし、また、次のページ以降でのステップＳ６の検出処理は、ステップＳ８の検出処理に対応した検出処理でなくてもよい（この場合は、次のページのダウンロード要求操作と再生表示操作とが異なる。）。
【００４０】
ここで、電子書籍データには効果音などが含まれることがあるため、圧縮された状態でも通常、１冊分の電子書籍データを格納するＲＡＭの容量は、数百ｋＢを必要としている。連続で読む場合には上記のＲＡＭの容量は、１冊分の電子書籍データの最低２倍の容量が必要となることが想定され、携帯電話のコスト、外形に大きな影響を受ける可能性がある。
【００４１】
これに対し、本実施形態によれば、１ページ毎に電子書籍データをＲＡＭ１１２にダウンロードしながら表示部１０４に表示（再生）するようにしたため、ＲＡＭ１１２は１冊分の電子書籍データを格納するＲＡＭの容量に比べて、電子書籍データ１ページ分を記憶できる極めて小容量の安価で小型な構成にできる。
【００４２】
また、本実施形態によれば、１ページ毎に電子書籍データをＲＡＭ１１２にダウンロードするため、ＲＡＭ１１２に１冊分の電子書籍データを保有する必要がなく、外部メモリ等に１冊分の電子書籍データを移動することができないため、著作権保護が可能である。また、携帯電話１００の電源をオフしたときには、ＲＡＭ１１２に保存されているデータも消去されるため、この点からも著作権保護が可能である。
【００４３】
更に、本実施形態では、購入した電子書籍データをインターネット接続プロバイダ等のサーバ４００に保管しておき、通信機能を有した携帯端末を使用してサーバにアクセスし、そのサーバに保管されているユーザ所有の所望の電子書籍データを検索して、ユーザの携帯電話１００に所望の再生順序で配信して再生させ、ユーザが自分の任意のタイミングで携帯電話１００を開閉、あるいは振ることで、あるいは傾けることで１ページずつ電子書籍データを読むことができるので、使い勝手が良いという効果がある。更に、本実施形態では、電子書籍データを１ページずつ再生するためには、ＣＰＵ１１０の負荷が小さく、電子書籍データの再生時の携帯電話動作などに影響を与えない。
【００４４】
なお、本発明は以上の実施形態に限定されるものではなく、例えば、図３に示したフローチャートの処理と同様の処理をＣＰＵ１１０に実現させる電子書籍データ再生プログラムも本発明に含まれる。
【００４５】
また、図２及び図３では、開閉検出部１１５、加速度センサ１１６、及び傾き検出部１１８を設けて、折り畳み型の携帯電話１００の開閉操作、振る操作、傾ける操作のいずれかにより電子書籍データのダウンロードとダウンロードした電子書籍データの表示部１０４での再生とを行うように説明したが、開閉検出部１１５、加速度センサ１１６、及び傾き検出部１１８のうち、どれか一つ又は二つを設けて、それらに対応した操作を行わせるようにしてもよい。また、本発明は、携帯電話１００は折り畳み型でなくてもよく（この場合は開閉検出部１１５は不要）、更には携帯電話に限らず、通信機能を有する携帯端末（ＰＨＳ、ＰＤＡ等）に適用可能である。
【図面の簡単な説明】
【００４６】
【図１】本発明の電子書籍システムの一実施形態の概略システム構成図である。
【図２】本発明の電子書籍データ受信機能付き携帯端末の一実施形態のブロック図である。
【図３】本発明の電子書籍システムの動作説明用フローチャートである。
【符号の説明】
【００４７】
１００  折り畳み型携帯電話
１０１  第１の筐体
１０２  第２の筐体
１０３  ヒンジ部
１０４  表示部
１０５  受話用レシーバ
１０６  入力部
１０７  送話用マイクロフォン
１１０  中央処理装置（ＣＰＵ）
１１１  ＨＳＤＰＡ通信部
１１２  ランダム・アクセス・メモリ（ＲＡＭ）
１１３  音声処理部
１１４  音源処理部
１１５  開閉検出部
１１６  加速度センサ
１１７  カメラ
１１８  傾き検出部
１１９  スピーカ
１２０  外部接続端子
【図１】
2009188776.tif 000003
【図２】
2009188776.tif 000004
【図３】
2009188776.tif 000005